(57)【要約】【課題】浮子を浮子保持具に差込む際の差込操作がし易いと共に、着脱操作時に浮子を破損することを防止する浮子ケースを提供する。【解決手段】本発明の浮子ケースは、ケース内に、一端側に浮子差込孔６を有する浮子保持具５を起伏自在に設けると共に、浮子保持具５が伏せ状態のときに、浮子差込孔６に差し込んだ浮子２０に当接して浮子２０を浮子差込孔６内の一側に押圧する突部１２を設けたことを特徴とする。【選択図】    図２
2008005729.tif 000002
【特許請求の範囲】
【請求項１】
ケース内に、一端側に浮子差込孔を有する浮子保持具を起伏自在に設けると共に、前記浮子保持具が伏せ状態のときに、前記浮子差込孔に差し込んだ浮子に当接して前記浮子を前記浮子差込孔内の一側に押圧する突部を設けたことを特徴とする浮子ケース。
【請求項２】
前記浮子保持具は、浮子差込孔に通じる前記突部の挿通孔を有することを特徴とする請求項１に記載の浮子ケース。
【請求項３】
前記浮子保持具は、伏せ状態となるように付勢する付勢部材を有していることを特徴とする請求項１又は２に記載の浮子ケース。
【発明の詳細な説明】
【技術分野】
【０００１】
本発明は、魚釣りに際して用いられる浮子（ウキ）を収納する浮子ケースに関する。
【背景技術】
【０００２】
通常、魚釣りに際して用いられる浮子は、持ち運び中に破損し易いため、浮子ケースに収納して持ち運ぶことが多い。従来の浮子ケースは、例えば、特許文献１に開示されているように、浮子が収納可能な長尺のケースの中に、浮子の一端側を弾性材にて挟持する支持体（浮子保持具）を設けたものが知られている。すなわち、この浮子保持具には、浮子の一端側を保持できるように差込孔やスリットが形成されており、収納時には、浮子の中央部分を掴みながら一端側を差込孔やスリットに挟持させている。
【特許文献１】実公昭５８−６３００号
【発明の開示】
【発明が解決しようとする課題】
【０００３】
ところで、上記したような従来の浮子ケースでは、浮子保持具に対する着脱操作がし難く、浮子を強く掴むため、着脱操作時に浮子を破損させてしまうおそれがあった。また、浮子保持具として発泡合成樹脂弾性材を用いた場合では、浮子の抜き差しを繰り返すうちに差込孔が広がった状態に癖付けされてしまい、浮子の挟持力が低下するという問題があった。
【０００４】
本発明は、上記した問題に基づいてなされたものであり、浮子を浮子保持具（支持体）に差込む際の差込操作がし易いと共に、着脱操作時に浮子を破損することを防止する浮子ケースを提供することを目的とする。
【課題を解決するための手段】
【０００５】
上記した目的を達成するために、本発明に係る浮子ケースは、ケース内に、一端側に浮子差込孔を有する浮子保持具を起伏自在に設けると共に、前記浮子保持具が伏せ状態のときに、前記浮子差込孔に差し込んだ浮子に当接して前記浮子を前記浮子差込孔内の一側に押圧する突部を設けたことを特徴とする。
【０００６】
上記した構成の浮子ケースでは、浮子保持具を起こした状態で、浮子の一端側である釣糸固定軸を浮差込孔に挿入する。そして、浮子保持具を伏せ状態にすると、突部が浮子に当接して浮子は、浮差込孔内の一側に押圧されて保持状態となる。このように、浮子保持具を起立させることで浮子の差込操作が容易に行えるようになり、伏せ状態にすることで、突部が浮子に当接して保持状態が安定するため、浮子保持具の浮子差込孔を予め大きめに設定することが可能となって、着脱操作を繰り返すことによる浮子差込孔の広がりを防止することが可能となる。また、浮子の着脱時は、浮子の保持状態が解除されるため、浮子を掴む際、大きな力が作用しないことから、損傷等することはない。
【発明の効果】
【０００７】
本発明に係る浮子ケースによれば、浮子を浮子保持具（支持体）に差込む際の差込操作がし易いと共に、着脱操作時に浮子が破損することが防止されるようになる。
【発明を実施するための最良の形態】
【０００８】
以下、本発明に係る浮子ケース一実施形態を、添付図面を参照して具体的に説明する。
図１から図３は、本発明に係る浮子ケースの第１の実施形態を示す図であり、図１は全体構成を示す図、図２は図１に示す浮子ケースにおいて、浮子保持具を伏せた状態を示す縦断面図、図３は図１に示す浮子ケースにおいて、浮子保持具を起こした状態を示す縦断面図である。
【０００９】
図１に示すように、本実施形態に係る浮子ケース１は、細長状の矩形で凹所２ａを有するケース２と、ケース２の側部２箇所においてヒンジ３を介して接続された蓋体４とを備えている。
【００１０】
前記ケース２内の一端側には、例えば、プラスチック等の合成樹脂材、木材、発泡材等によって形成された浮子保持具５が起伏自在に設けられている。この場合、浮子保持具５は、収納可能な浮子の数に対応して設けられており、本実施形態では、５つの浮子２０を並列して収納できるように５個設けられている。
【００１１】
図２及び図３に示すように、浮子保持具５には、浮子２０の一端側（先端側）に設けられている釣糸固定軸２１が差込まれるように、軸方向に延びる浮子差込孔６が形成されている。浮子差込孔６の開口部分には、釣糸固定軸２１を挿入し易いようにテーパ６ａが形成されると共に、浮子差込孔６の径は、釣糸固定軸２１の断面の径よりも大きめに形成されている。
【００１２】
また、浮子保持具５の基端側には、指で押付け操作可能となるように操作部７が形成されると共に、その操作部７の下面側には、作動部（枢着部）８が突出形成されている。この作動部８は、ケース２の凹所２ａの下面２ｂに設けられた支持部２ｄに対して、軸２ｅによって回動可能に軸支されており、浮子保持具５は、操作部７を押し付けた際に、軸２ｅを中心に回動可能となっている。また、操作部７と下面２ｂとの間には、付勢部材（バネ）１０が介在されており、操作部７を下方へ押し付け操作した際、付勢部材１０の付勢力に抗して、浮子差込孔６が斜め上方に向けて開口するように浮子保持具５を回動させ起立状態となり（図３参照）、操作部７の押し付け操作を解除した際、付勢部材１０の付勢力によって、浮子差込孔６が水平方向（横方向）に向けて開口するように浮子保持具５を回動させる（図２参照）。すなわち、本実施形態の浮子保持具５は、付勢部材１０によって、常時、伏せ状態となるように付勢されている。
【００１３】
さらに、浮子保持具５には、浮子差込孔６に通じるように、挿通孔５ａが形成されている。この挿通孔５ａには、凹所２ａの下面２ｂに設けられた突部１２が位置するようになっており、図２に示すように、浮子保持具５が付勢部材１０の付勢力によって水平状態に回動した際、浮子差込孔６に挿入されている浮子２０の釣糸固定軸２１に当接し、釣糸固定軸２１を浮子差込孔６の一側（上面領域）に押圧するようになっている。なお、前記突部１２は、保持力が向上するように、ゴムや発泡材などによって形成しておくことが好ましい。
【００１４】
上記したように構成される浮子ケース１に、浮子２０を着脱する際の操作について説明する。
【００１５】
最初、浮子保持具５の操作部７を押し付け操作して、浮子差込孔６の開口側が上方を向いて立ち上がった起き状態とし、浮子２０の釣糸固定軸２１を浮子差込孔６に差し込む。このとき、浮子差込孔６は斜め上方に向けて開口しており、かつ浮子差込孔６の径は、釣糸固定軸２１の径より大きめに形成されていることから、釣糸固定軸２１の挿入操作がし易くなる。
【００１６】
そして、操作部７の押し付け操作を解除すると、付勢部材１０の付勢力によって、浮子保持具５は浮子差込孔６の開口側が上方を向いた状態から軸２ｅを中心に回動して倒れ、浮子差込孔６の開口側が横方向を向いた伏せ状態になる。このとき、突部１２が釣糸固定軸２１に当接して浮子２０は浮差込孔６内の一側に押圧されて保持状態となる。このように、浮子保持具５を起立させることで浮子２０の差込操作が容易に行えるようになり、かつ、伏せ状態にすることで、突部１２が浮子２０に当接して保持状態が安定するため、浮子差込孔６を予め大きめに設定することができ、着脱操作を繰り返すことによる浮子差込孔６の広がりを防止することが可能となる。また、浮子２０の浮子差込孔６に対する着脱操作時では、浮子の保持状態が解除されるため、浮子を強く掴む必要が無くなり、破損等することが防止される。
【００１７】
なお、上記した実施形態では、浮子保持具５が伏せ状態となるように付勢する付勢部材１０を設けており、浮子２０（釣糸固定軸２１）を所定の押圧力で突部１２に当接させて浮子差込孔６の一側に押圧することができるため、浮子差込孔６をある程度大きくしても確実に浮子２０を保持することが可能となる。
【００１８】
さらに、前記突部１２は、挿通孔５ａを介して浮子差込孔６の位置に設置されているため、釣糸固定軸２１が直接、浮子差込孔６の一側に押圧されるようになり、浮子２０の保持状態が安定するようになる。
【００１９】
次に、本発明の別の実施形態について説明する。なお、以下に説明する実施形態では、浮子ケースに設置される浮子保持具の部分について詳細に説明する。
【００２０】
図４は、第２の実施形態を示す図であり、浮子保持具を伏せた状態を示す縦断面図である。この実施形態では、浮子保持具５が伏せ状態となるように付勢する付勢部材１０Ａを操作部７と凹所２ａの下面２ｂとの間に介在される発泡材やゴム等の弾性材としている。また、浮子２０を押圧する突部は、下面２ｂに設置されるバネ１２Ａと、バネ１２Ａの上面に設けられるパッド１２Ｂによって構成している。
【００２１】
このような構成においても、上記した実施形態と同様な効果が得られると共に、バネ１２Ａによって保持力が向上するため、浮子２０の保持状態をより安定化することが可能となる。
【００２２】
図５は、第３の実施形態を示す図であり、浮子保持具を伏せた状態を示す縦断面図である。この実施形態では、上記した第１の実施形態における浮子２０を押圧する突部１２Ｃを浮子保持具５の前方に設置している。
【００２３】
このような構成によれば、浮子保持具５に挿通孔を形成する必要が無いため、位置併せ等が不要になり、構成が簡略化される。
【００２４】
図６は、第４の実施形態を示す図であり、浮子保持具を伏せた状態を示す縦断面図である。この実施形態では、浮子保持具５Ａを、プラスチック等の合成樹脂によって撓み変形可能な材料によって一体形成しており、薄肉厚の固定部５Ｂを下面２ｂに固定している。このため、操作部７を押圧操作すると、固定部５Ｂが撓むようになり、浮子保持具５Ａは図２に示したように起立状態に回動される。すなわち、固定部５Ｂの部分が、上記した実施形態における付勢部材としての機能を果たすようになる。
【００２５】
このような構成によれば、部品点数を削減することができ、コストを低減することが可能となる。
【００２６】
以上、本発明の実施形態について説明したが、本発明は、上記した実施形態の形状に限定されることはなく、種々変形することが可能である。例えば、上記した実施形態における夫々の構成については、適宜、組み合わせて実施することが可能である。また、上記したような付勢部材１０，１０Ａを設けることなく、浮子２０の自重によって突部に当接させるようにしても良い。さらに、上記した実施形態の浮子ケースでは、浮子保持具は、図１に示すように、夫々１本の浮子を保持するように複数個設置したが、多数本の浮子を保持できるように構成されていても良い。
【図面の簡単な説明】
【００２７】
【図１】本発明に係る浮子ケースの第１の実施形態を示す図であり、全体構成を示す図。
【図２】図１に示す浮子ケースにおいて、浮子保持具を伏せた状態を示す縦断面図。
【図３】図１に示す浮子ケースにおいて、浮子保持具を起こした状態を示す縦断面図。
【図４】第２の実施形態を示す図であり、浮子保持具を伏せた状態を示す縦断面図。
【図５】第３の実施形態を示す図であり、浮子保持具を伏せた状態を示す縦断面図。
【図６】第４の実施形態を示す図であり、浮子保持具を伏せた状態を示す縦断面図。
【符号の説明】
【００２８】
１  浮子ケース
２  ケース
５  浮子保持具
６  浮子差込孔
７  操作部
１０，１０Ａ  付勢部材
１２，１２Ａ，１２Ｂ，１２Ｃ  突部
２０  浮子
２１  浮子固定軸
【図１】
2008005729.tif 000003
【図２】
2008005729.tif 000004
【図３】
2008005729.tif 000005
【図４】
2008005729.tif 000006
【図５】
2008005729.tif 000007
【図６】
2008005729.tif 000008